(57)【特許請求の範囲】
【請求項１】
揮散剤を収容したトレイの開口部が前記揮散剤の透過を許容する揮散面で閉鎖されたカートリッジと、該カートリッジが装着されるケーシングとを備えてなり、該ケーシングを吸気用スリットが設けられた空調装置の壁面において当該空調装置の吹出口より上方の壁面に取り付けて使用する揮散装置であって、
前記壁面に取り付けられる前記ケーシングの取付面を、開口部を不具備な空気の通流を遮断する遮断面で構成する一方、
当該ケーシングに前記カートリッジを装着した状態で該カートリッジの前記揮散面が対向する前記ケーシング内側の対向面にリング状の起立壁を設け、該起立壁と前記対向面と前記揮散面とで包囲された前記揮散剤の揮散空間を形成するとともに、
前記起立壁の下部に切り欠きを設けて前記揮散空間内に揮散した前記揮散剤を下側へ向けて放出する放出部を設けたことを特徴とする揮散装置。
【請求項２】
前記トレイを透明性を有する部材で形成するとともに、前記カートリッジを装着した状態で前記トレイの底面が対向する前記ケーシングの部位に、外側から内部の視認を可能とする覗き窓を設けたことを特徴とする請求項１記載の揮散装置。
【請求項３】
前記トレイに、前記揮散剤を収容する容器部と、該容器部の開口縁部に設けられた側方へ延出する鍔部とを設ける一方、
前記遮断面に対向した対向面に対を成す突起を設け、前記カートリッジを装着する際に前記容器部が通過する通路を前記両突起間に形成するとともに、前記両突起間の通路幅を、前記鍔部の通過は阻止し前記容器部の通過は許容する寸法に設定したことを特徴とする請求項１又は２記載の揮散装置。
【請求項４】
前記トレイの底面に凹部を設けるとともに、前記ケーシングに前記カートリッジを装着した状態で前記凹部と係合する凸部を当該ケーシングに設けたことを特徴とする請求項１、２又は３記載の揮散装置。
【発明の詳細な説明】
【技術分野】
【０００１】
本発明は、芳香剤等の揮散剤を揮散する揮散装置に関する。
【背景技術】
【０００２】
従来、夏場等空調装置としてのエアコンを使い始める際には、エアコンから出る臭いが気になることがある。
【０００３】
これを解消する為にエアコンのフィルタに芳香シートを設け、該芳香シートから揮散された芳香剤をエアコンの吹出口から吹き出す方法が考えられる。
【発明の開示】
【発明が解決しようとする課題】
【０００４】
しかしながら、このような従来にあっては、エアコンを通過する空気によって芳香剤の揮散を促進するため、芳香剤の揮散効率がエアコンの風量によって変化する。
【０００５】
このため、エアコンの利用状況によって芳香効果の持続時間に差が生じ、使用状況によっては、芳香効果の低下が早まる恐れがあった。
【０００６】
本発明は、このような従来の課題に鑑みてなされたものであり、空調装置の利用状況に応じた効果の持続時間の変化を抑えることができる揮散装置を提供することを目的とするものである。
【課題を解決するための手段】
【０００７】
前記課題を解決するために本発明の請求項１の揮散装置にあっては、揮散剤を収容したトレイの開口部が前記揮散剤の透過を許容する揮散面で閉鎖されたカートリッジと、該カートリッジが装着されるケーシングとを備えてなり、該ケーシングを吸気用スリットが設けられた空調装置の壁面において当該空調装置の吹出口より上方の壁面に取り付けて使用する揮散装置であって、前記壁面に取り付けられる前記ケーシングの取付面を、開口部を不具備な空気の通流を遮断する遮断面で構成する一方、当該ケーシングに前記カートリッジを装着した状態で該カートリッジの前記揮散面が対向する前記ケーシング内側の対向面にリング状の起立壁を設け、該起立壁と前記対向面と前記揮散面とで包囲された前記揮散剤の揮散空間を形成するとともに、前記起立壁の下部に切り欠きを設けて前記揮散空間内に揮散した前記揮散剤を下側へ向けて放出する放出部を設けた。
【０００８】
すなわち、この揮散装置をエアコン等の空調装置で使用する際には、揮散剤を収容したカートリッジをケーシングに装着するとともに、このケーシングを、前記空調装置の吹出口より上方の壁面に取り付ける。
【０００９】
このとき、該壁面に取り付けられる前記ケーシングの取付面は、空気の通流を遮断する開口部を不具備な遮断面で構成されており、この取付面が吸気用スリットが設けられた壁面に取り付けられた場合であっても、前記吸気用スリットに吸い込まれる空気の気流による揮散剤の揮散の促進が防止される。
【００１０】
また、このケーシングには、装着されたカートリッジの揮散面と該揮散面が対向する対向部位との間に揮散空間が形成されており、前記揮散面より揮散した前記カートリッジ内の揮散剤は、この揮散空間に揮散される。そして、この揮散空間に揮散された揮散剤は、前記ケーシングに設けられた放出部から下方へ向けて放出される。
【００１１】
このとき、当該カートリッジは、前記空調装置の吹出口より上方の壁面に取り付けられている。このため、前記放出部より下方へ向けて放出された揮散剤は、前記吹出口より吹き出された空気に混合される。
【００１２】
また、請求項２の揮散装置においては、前記トレイを透明性を有する部材で形成するとともに、前記カートリッジを装着した状態で前記トレイの底面が対向する前記ケーシングの部位に、外側から内部の視認を可能とする覗き窓を設けた。
【００１３】
すなわち、揮散剤を収容したトレイは、透明性を有する部材で形成されており、このカートリッジを装着した状態で前記トレイの底面が対向する部位には、覗き窓が設けられている。
【００１４】
このため、前記トレイ内の揮散剤が揮散して減少した際には、前記覗き窓から透明性を有する部材で形成された前記トレイの底面を介して、前記揮散剤の残存量を確認することができる。
【００１５】
さらに、請求項３の揮散装置では、前記トレイに、前記揮散剤を収容する容器部と、該容器部の開口縁部に設けられた側方へ延出する鍔部とを設ける一方、前記遮断面に対向した対向面に対を成す突起を設け、前記カートリッジを装着する際に前記容器部が通過する通路を前記両突起間に形成するとともに、前記両突起間の通路幅を、前記鍔部の通過は阻止し前記容器部の通過は許容する寸法に設定した。
【００１６】
すなわち、装着したカートリッジのトレイの容器部側に位置する対向面には、一対の突起が設けられており、この突起間には、前記カートリッジを装着する際に前記容器部が通過する通路が形成されている。そして、この突起間の通路幅は、前記トレイの鍔部の通過は阻止する一方、前記容器部の通過は許容する寸法に設定されている。
【００１７】
このため、前記容器部を前記対向面側へ向けてセットする正常取付時には、当該ケーシング内への前記カートリッジの装着が許容される。一方、前記鍔部を前記対向面側へ向けてセットする逆向け取付時には、前記鍔部が前記突起に干渉することによって、当該ケーシング内への装着が阻止される。
【００１８】
加えて、請求項４の揮散装置においては、前記トレイの底面に凹部を設けるとともに、前記ケーシングに前記カートリッジを装着した状態で前記凹部と係合する凸部を当該ケーシングに設けた。
【００１９】
すなわち、前記ケーシングにカートリッジを装着する際には、前記ケーシングに設けられた凸部が前記カートリッジのトレイの底面に設けられた凹部に係合する。
【００２０】
このとき、前記凸部が前記凹部に挿入される際にクリック感が発生し、このクリック感によって、当該カートリッジの正常位置への装着が確認される。
【発明の効果】
【００２１】
以上説明したように本発明の請求項１の揮散装置にあっては、カートリッジを装着したケーシングを空調装置の吹出口より上方の壁面に取り付けることによって、前記ケーシングの放出部より下方へ向けて放出される揮散剤を、前記吹出口より吹き出された空気に混合して室内に広げることができる。
【００２２】
このとき、前記空調装置の壁面に取り付けられる前記ケーシングの取付面は、空気の通流を遮断する開口部を不具備な遮断面で構成されており、この取付面が吸気用スリットが設けられた壁面に取り付けられた場合であっても、前記吸気用スリットに吸い込まれる空気の気流による揮散剤の揮散の促進を防止することができる。
【００２３】
したがって、空調装置を通過する空気で揮散剤を揮散する構造上、空調装置の風量に応じて揮散量が変化する従来と比較して、空調装置の利用状況による効果の持続時間の変化を抑制することができる。これにより、使用状況によって揮散剤が早く減少し、揮散剤による効果の低下が早まるといった不具合を解消することができる。
【００２４】
そして、前記壁面に取り付けられる前記取付面を、開口部を不具備な遮断面で構成することによって、前記取付面を介した前記揮散剤の前記吸気用スリットから吸引を防止することができる。
【００２５】
このため、適用する空調装置が、空気中に含まれる成分を吸着する吸着フィルタを備えた場合であっても、揮散した揮散剤が前記吸着フィルタで吸着されるといった不具合を回避することができ、前記揮散剤による効果を維持することができる。
【００２６】
また、請求項２の揮散装置においては、揮散剤を収容したトレイは、透明性を有する部材で形成されており、このカートリッジを装着した状態で前記トレイの底面が対向する部位には、覗き窓が設けられている。
【００２７】
このため、前記トレイ内の揮散剤が揮散して減少した際には、覗き窓から透明性を有する部材で形成された前記トレイの底面を介して、前記揮散剤の残存量を確認することができる。
【００２８】
これにより、前記カートリッジを取り外すこと無く、当該カートリッジの交換時期を判断することができる。
【００２９】
さらに、請求項３の揮散装置では、カートリッジの鍔部をケーシングの対向面側へ向けてセットする逆向け取付時には、前記鍔部が前記ケーシングに設けられた突起に干渉することで、当該ケーシング内への装着が阻止される。
【００３０】
これにより、前記カートリッジの逆向きでの取り付けを未然に防止することができる。
【００３１】
加えて、請求項４の揮散装置においては、カートリッジをケーシングに装着する際には、該ケーシングに設けられた凸部が前記カートリッジのトレイの底面に設けられた凹部に係合する。
【００３２】
このとき、前記凸部が前記凹部に挿入される際にクリック感が発生するため、このクリック感によって当該カートリッジが正常位置に装着されたことを確認することができる。
【発明を実施するための最良の形態】
【００３３】
以下、本発明の一実施の形態を図に従って説明する。図１は、本実施の形態にかかる揮散装置１を示す図である。
【００３４】
この揮散装置１は、空調装置の吹出口より上方の壁面に取り付けて使用する装置であり、消臭剤、芳香剤等の揮散剤を揮散するように構成されている。この揮散剤としては、ゲル状の薬剤や液状の薬剤が挙げられるが、本実施の形態では、ゲル状の薬剤が用いられている。また、前記揮散剤としては、防虫剤や殺虫剤を用いることもできる。
【００３５】
前記揮散装置１は、図１に示したケーシング１１と、このケーシング１１に交換可能に装着される図２に示すカートリッジ１２とよって構成されている。
【００３６】
このカートリッジ１２は、前記揮散剤を収容したトレイ２１と、該トレイ２１の開口部を閉鎖する揮散面２２とによって構成されており、該揮散面２２は、ゲル状の前記揮散剤は通さず、揮散され気化された揮散剤は透過する不織布によって構成されている。
【００３７】
前記トレイ２１は、無色透明のプラスチックシートをプレスして成型されており、当該トレイ２１には、前記揮散剤を収容する容器部３１が横長楕円形状に形成されている。該容器部３１の開口縁部には、側方へ延出する鍔部３２が全周に渡って形成されており、該鍔部３２に前記揮散面２２の周縁部が載置された状態で接合されている。
【００３８】
前記容器部３１の底面４１には、図２の（ｂ）に示すように、長手方向に延在する横溝４２と、該横溝４２に直交する直交方向に延在した縦溝４３とが凹設されており、両溝４２，４３は、その両端部が当該容器部３１の周面４４に達する長さに設定されている。前記縦溝４３と前記横溝４２とは、当該底面４１の中央部で交差するように構成されており、当該トレイ２１の中心部には、前記縦溝４３と前記横溝４２とが交差した部位に十字状の位置決め凹部４５が形成されている。
【００３９】
前記縦溝４３は、前記横溝４２と交差する前記位置決め部４５の近傍で途切れており、前記位置決め部４５の近傍には、平坦な途切れ部４６，４６が形成されている。これにより、前記縦溝４３は、前記位置決め部４５から隔離されている。
【００４０】
この容器部３１の前記周面４４には、各角部に外側に膨出した膨出部５１，・・・が形成されており、当該トレイ２１の角部が補強されている。
【００４１】
前記ケーシング１１は、図１及び図３並びに図４に示すように、前面を構成する前ケース６１と、後面を構成する後ケース６２とによって構成されており、両ケース６１，６２は、白色の樹脂によって板状に形成されている。
【００４２】
前記前ケース６１は、図１及び図３に示したように、雲形状に形成されており、その周縁部は、裏側へ湾曲され補強されている。この前ケース６１の内側面は、図５に示すように、当該ケーシング１１に前記カートリッジ１２を装着した状態で、前記トレイ２１の前記底面４１が対向する対向面７１を構成しており、当該前ケース６１には、図３に示したように、外側からケーシング１１内部の視認を可能とする覗き窓７２が、図３の（ａ）中右下部分に開設されている。この覗き窓７２は、大径湾曲部７３と小径湾曲部７４とによって波形に形成されており、当該覗き窓７２は、使用状態で上下方向に延在するように配置されている。
【００４３】
この前ケース６１の内側面には、図３及び図５に示したように、下縁側の中寄り二箇所に下部円柱部８１，８１が突設されており、両下部円柱部８１，８１の先端には、小径の連結突起８２，８２が一体形成されている（図３の（ｂ）参照）。また、前記前ケース６１の内側面には、両側縁側のそれぞれに側部円柱部８３，８３が突設されており、両側部円柱部８３，８３の先端にも、小径の連結突起８４，８４が一体形成されている（図３の（ｂ）参照）。
【００４４】
また、この前ケース６１の内側面には、図３及び図５に示したように、上縁側の両側部寄りの二箇所に、対を成す突起９１，９１が設けられており、各突起９１，９１の高さ寸法と、前記各円柱部８１，８１、８３，８３の高さ寸法とは、ほぼ同寸法に設定されている。これにより、当該ケーシング１１に前記カートリッジ１２を装着する際に、該カートリッジ１２の前記トレイ２１における前記容器部３１が通過する通路９２が、前記両突起９１，９１間に形成されている。
【００４５】
前記両突起９１，９１の離間距離は、図２に示したように、前記カートリッジ１２の前記トレイ２１における前記鍔部３２の横幅寸法１０１より短く、かつ前記トレイ２１の前記容器部３１の横幅寸法１０２より長く設定されている。これにより、図５の（ｂ）に示したように、前記両突起９１，９１の離間距離で構成される前記通路９２の通路幅１０３は、前記トレイ２１の前記鍔部３２の通過は阻止する一方、前記トレイ２１の前記容器部３１の通過は許容できる寸法に設定されている。
【００４６】
そして、前記前ケース６１の内側面には、図５に示したように、その中央部に位置決め凸部１１１が設けられており、該位置決め凸部１１１は、山形板状の縦壁１１１ａと横壁１１１ｂとが中央部で交差した十字形状に形成されている。
【００４７】
これにより、前記カートリッジ１２を前記ケーシング１１に装着して所定位置にセットした状態において、前記位置決め凸部１１１が前記トレイ２１に形成された前記位置決め凹部４５に挿入された状態で係合するように構成されている。
【００４８】
具体的に説明すると、縦方向に延在する前記縦壁１１１ａが、前記カートリッジ１２底面４１の縦溝４３に沿って移動することで、当該カートリッジ１２の挿入方向をガイドするとともに、前記位置決め部４５近傍に設定された平坦な途切れ部４６を通過した後、十字状の前記位置決め凸部１１１が十字状の前記位置決め凹部４５に達した際には、前記位置決め凸部１１１の前記縦壁１１１ａが前記位置決め凹部４５を構成する前記横溝４２の部位に挿入されるとともに、前記位置決め凸部１１１の前記横壁１１１ｂが前記位置決め凹部４５を構成する前記縦溝４３の部位に挿入される際にクリック感が発生すると同時に、抜け方向の移動を規制できるように構成されている。
【００４９】
前記後ケース６２は、図１及び図４に示したように、雲形状に形成されており、その周縁部は、裏側へ湾曲され補強されている。この後ケース６２は、図５に示すように、当該ケーシング１１に前記カートリッジ１２を装着した状態で、該カートリッジ１２の前記揮散面２２に対向した壁面を構成するように構成されている。
【００５０】
この後ケース６２の外側面は、図６に示すように、空調装置としてのエアコン１２１の前壁面１２２に取り付けられる取付面１２３を構成しており、この取付面１２３には、図４〜図６に示したように、上縁から下方へ向けて延在する両面テープ１２４が中央部に貼着されている。
【００５１】
これにより、前記両面テープ１２４の剥離紙を剥離するとともに、当該両面テープ１２４の粘着面を前記エアコン１２１の前記前壁面１２２に貼着することによって、当該揮散装置１を、図６に示したように、前記エアコン１２１の吹出口１３１より上方の前記前壁面１２２に取り付けて使用できるように構成されている。
【００５２】
この後ケース６２の内側面には、図４及び図５に示したように、下縁側の中寄りの二箇所に下部円筒部１４２，１４２が突設されており、両下部円筒部１４２，１４２の先端には、前記前ケース６１の前記下部円柱部８１，８１に突設された前記連結突起８２，８２が圧入される円形の連結穴が設けられている（図示省略）。また、前記後ケース６２の内側面には、両側縁側のそれぞれに側部円筒部１４３，１４３が突設されており、両側部円筒部１４３，１４３の先端にも、前記前ケース６１の前記側部円柱部８３，８３に突設された前記連結突起８４，８４が圧入される円形の連結穴が設けられている（図示省略）。
【００５３】
これにより、前記前ケース６１の前記下部円柱部８１，８１に突設された前記連結突起８２，８２を、前記後ケース６２の前記下部円筒部１４２，１４２の連結穴に圧入するとともに、前記前ケース６１の前記側部円柱部８３，８３に突設された前記連結突起８４，８４を、前記後ケース６２の前記側部円筒部１４３，１４３の前記連結穴に圧入することによって、前記前ケース６１と前記後ケース６２とを連結できるように構成されており、この連結状態において、前記前ケース６１と前記後ケース６２との間に、前記カートリッジ１２が装着される装着部１４５を、前記各円柱部８１，８１、８３，８３及び前記各円筒部１４２，１４２、１４３，１４３によって確保できるように構成されている。
【００５４】
前記カートリッジ１２を前記装着部１４５に装着する際には、前記カートリッジ１２の前記鍔部３２の周縁が前記両下部円筒部１４２，１４２に当接した状態で、その挿入量が規制されるように構成されており、この装着状態では、前記カートリッジ１２の前記鍔部３２の周縁が前記両側部円筒部１４３，１４３に当接した状態で、横ずれが防止されるように構成されている。
【００５５】
これにより、前記カートリッジ１２が所定位置に位置決めされるように構成されており、この装着状態で、前記前ケース６１に形成された前記位置決め凸部１１１が、前記トレイ２１の底面４１に形成された前記位置決め凹部４５と係合するように構成されている。
【００５６】
前記後ケース６２の内側面には、図５に示したように、当該ケーシング１１内に前記カートリッジ１２を装着した状態で、該カートリッジ１２の前記揮散面２２が対向するように構成されており、この内側面には、図４及び図５に示したように、薄肉の起立壁１５１が楕円形を成すリング状に延設されている。この起立壁１５１は、前記所定位置に装着された前記カートリッジ１２の前記トレイ２１における前記鍔部３２に当接するように構成されており、図１に示したように、前記カートリッジ１２の前記揮散面２２と当該後ケース６２の内側面との間に、前記カートリッジ１２内の前記揮散剤を前記揮散面２２から揮散する為の揮散空間１５２を形成できるように構成されている。
【００５７】
当該揮散装置１を前記エアコン１２１の前記前壁面１２２に取り付けた使用状態において、上側に配置される前記起立壁１５１の部位は、切り欠きが二箇所に形成されており、この切り欠きによって、図１及び図５の（ａ）に示したように、前記揮散空間１５２内に空気を流入する流入部１６１，１６１が形成されている。また、前記使用状態において下側に配置される前記起立壁１５１の部位にも、図５の（ｂ）に示したように、切り欠きが二箇所に形成されており、この切り欠きによって前記揮散空間１５２内に揮散された前記揮散剤を放出する放出部１６２，１６２が形成されている。
【００５８】
この放出部１６２，１６２は、前記使用状態において下方へ向けて開口するように構成されており、前記揮散空間１５２に揮散された空気より重い揮散剤を下側へ向けて放出できるように構成されている。
【００５９】
そして、前記エアコン１２１の前記前壁面１２２への取付面１２３を構成する当該後ケース６２は、開口部を不具備な板状に形成されており、外部と前記揮散空間１５２内部との空気の通流を遮断する遮断面を構成している。
【００６０】
以上の構成にかかる本実施の形態において、この揮散装置１を空調装置としてのエアコン１２１で使用する際には、揮散剤を収容したカートリッジ１２をケーシング１１に装着するとともに、このケーシング１１を、前記エアコン１２１の吹出口１３１より上方の前壁面１２２に取り付ける。
【００６１】
このケーシング１１には、装着されたカートリッジ１２の揮散面２２と該揮散面２２が対向する対向部位を構成する後ケース６２の内側面との間に揮散空間１５２が形成されており、前記揮散面２２より揮散した前記カートリッジ１２内の揮散剤は、この揮散空間１５２に揮散される。そして、この揮散空間１５２に揮散された揮散剤は、前記ケーシング１１に設けられた放出部１６２，１６２から下方へ向けて放出される。
【００６２】
このとき、当該カートリッジ１２は、前記エアコン１２１の吹出口１３１より上方の前壁面１２２に取り付けられている。このため、前記放出部１６２，１６２より下方へ向けて放出された揮散剤は、前記吹出口１３１より吹き出された空気に混合される。
【００６３】
これにより、前記放出部１６２，１６２から下方へ向けて放出された揮散剤を、前記吹出口１３１から吹き出された空気に混合して室内に広げることができる。
【００６４】
このとき、前記エアコン１２１の前記前壁面１２２に取り付けられる前記ケーシング１１の取付面１２３は、空気の通流を遮断する開口部を不具備な遮断面で構成されており、この取付面１２３がエアコンの例えば吸気用スリットが設けられた前壁面１２２に取り付けられた場合であっても、前記吸気用スリットに吸い込まれる空気の気流による揮散剤の揮散の促進を防止することができる。
【００６５】
したがって、エアコン１２１を通過する空気で揮散剤を揮散する構造上、エアコン１２１の風量に応じて揮散量が変化する従来と比較して、エアコン１２１の利用状況による効果の持続時間の変化を抑制することができる。これにより、使用状況によって揮散剤が早く減少し、揮散剤による効果の低下が早まるといった不具合を解消することができる。
【００６６】
そして、前記前壁面１２２に取り付けられる前記取付面１２３を、前記遮断面で構成することによって、前記取付面１２３を介した前記揮散剤の前記吸気用スリットから吸引を防止することができる。
【００６７】
このため、適用するエアコン１２１が、空気中に含まれる成分を吸着する吸着フィルタを備えた場合であっても、揮散した揮散剤が前記吸着フィルタで吸着されるといった不具合を回避することができ、前記揮散剤による効果を維持することができる。
【００６８】
また、前記揮散剤を収容した前記トレイ２１は、無色透明の樹脂で形成されており、このカートリッジ１２を装着した状態で前記トレイ２１の底面４１が対向する前記前ケース６１の部位には、覗き窓７２が開設されている。
【００６９】
このため、前記トレイ２１内の揮散剤が揮散して減少した際には、この覗き窓７２から無色透明の前記トレイ２１の底面４１を介して、前記揮散剤の残存量を確認することができる。
【００７０】
これにより、前記カートリッジ１２を取り外すこと無く、当該カートリッジ１２の交換時期を判断することができる。
【００７１】
そして、装着したカートリッジ１２のトレイ２１の容器部３１側に位置する前記前ケース６１の対向面７１には、一対の突起９１，９１が設けられており、この突起９１，９１間には、前記カートリッジ１２を装着する際に前記容器部３１が通過する通路９２が形成されている。そして、この突起９１，９１間の通路幅１０３は、前記トレイ２１の鍔部３２の通過は阻止する一方、前記容器部３１の通過は許容する寸法に設定されている。
【００７２】
このため、前記容器部３１を前記対向面７１側へ向けてセットする正常取付時には、当該ケーシング１１内への前記カートリッジ１２の装着を許容することができる。一方、前記鍔部３２を前記対向面７１側へ向けてセットする逆向け取付時には、前記鍔部３２が前記突起９１，９１に干渉することによって、当該ケーシング１１内への装着を阻止することができる。
【００７３】
これにより、前記カートリッジ１２の逆向きでの取り付けを未然に防止することができる。
【００７４】
また、前記カートリッジ１２を前記ケーシング１１に装着する際には、該ケーシング１１の中央部に設けられた位置決め凸部１１１が、前記カートリッジ１２のトレイ２１の底面４１に設けられた位置決め凹部４５に係合する。
【００７５】
このとき、前記位置決め凸部１１１が前記位置決め凹部４５に挿入される際に、クリック感が発生する。このため、このクリック感によって当該カートリッジ１２が所定位置に装着されたことを確認することができる。
【００７６】
なお、本実施の形態では、当該揮散装置１を空調装置としてのエアコン１２１に取り付けた場合に付いて説明したが、これに限定されるものでは無い。
【００７７】
例えば、室内の空気の温度の他に、湿度を調整する加湿器や、空気を清浄する空気洗浄機などに取り付けて使用しても良い。
【図面の簡単な説明】
【００７８】
【図１】本発明の一実施の形態を示す斜視図である。
【図２】同実施の形態のカートリッジを示す図で、（ａ）は斜視図であり、（ｂ）は底面図である。
【図３】同実施の形態の前ケースを示す図で、（ａ）は正面図であり、（ｂ）は側面図である。
【図４】同実施の形態の後ケースを示す図で、（ａ）は正面図であり、（ｂ）は側面図である。
【図５】（ａ）は同実施の形態の平面図であり、（ｂ）は底面図である。
【図６】同実施の形態の使用状態を示す図である。
【符号の説明】
【００７９】
１    揮散装置
１１    ケーシング
１２    カートリッジ
２１    トレイ
２２    揮散面
３１    容器部
３２    鍔部
４１    底面
４５    位置決め凹部
６１    前ケース
６２    後ケース
７１    対向面
７２    覗き窓
９１    突起
９２    通路
１０３    通路幅
１１１    位置決め凸部
１２１    エアコン
１２２    前壁面
１２３    取付面
１３１    吹出口
１５１    起立壁
１５２    揮散空間
１６２    放出部
【図１】
0005221113.tif 000002
【図２】
0005221113.tif 000003
【図３】
0005221113.tif 000004
【図４】
0005221113.tif 000005
【図５】
0005221113.tif 000006
【図６】
0005221113.tif 000007